(57)【要約】【課題】安価に安定した振動抑制を可能とし、設計自由度に優れる階段の制振構造を提供すること。【解決手段】床梁に支持された床板３ｄに、階段１０の踏板１２を支持する力桁１１の下端部１１αが支持され、力桁１１の下端部が設置される床板３ｄと、基礎スラブＢ１との間であって、床小梁３ａと基礎スラブＢ１との間、および床小梁３ａ，３ａどうしを連結した支持部材４０と基礎スラブＢ１との間に、束５０（ａ），５０（ｂ），５０（ｃ）が配置されていることを特徴とする階段の制振構造とした。【選択図】図３
2018048494.tif 000002
【特許請求の範囲】
【請求項１】
床梁に支持された床板に、階段の踏板を支持する階段桁の下端部が支持された階段の制振構造であって、
前記階段桁の下端部が設置される前記床板と、基礎スラブとの間に、束が設けられていることを特徴とする階段の制振構造。
【請求項２】
請求項１に記載の階段の制振構造において、
前記床梁の床大梁の間に複数の床小梁が架け渡され、
前記束は、前記床小梁と前記基礎スラブとの間に設けられていることを特徴とする階段の制振構造。
【請求項３】
請求項２に記載の階段の制振構造において、
前記階段桁の下端部は、前記床小梁と前記床小梁との間に配置され、
前記階段桁の下端部を支持する前記床板の下方位置に、前記床梁どうしを連結した支持部材が配置されていることを特徴とする階段の制振構造。
【請求項４】
請求項３に記載の階段の制振構造において、
前記階段桁の下端部が、前記支持部材に固定されていることを特徴とする階段の制振構造。
【請求項５】
請求項３または請求項４に記載の階段の制振構造において、
前記束が、前記支持部材と前記基礎スラブとの間に設けられていることを特徴とする階段の制振構造。
【請求項６】
請求項１〜請求項５のいずれか１項に記載の階段の制振構造において、
前記束は、前記基礎スラブに固定されていることを特徴とする階段の制振構造。
【請求項７】
請求項１〜請求項６のいずれか１項に記載の階段の制振構造において、
前記階段桁の中間部が、防振支柱を介して床材に支持されていることを特徴とする階段の制振構造。
【請求項８】
請求項７に記載の階段の制振構造において、
前記防振支柱は、前記床板に固定されていることを特徴とする階段の制振構造。
【発明の詳細な説明】
【技術分野】
【０００１】
本開示は、階段の制振構造に関するものである。
【背景技術】
【０００２】
従来、建物ユニットに設けられたユニット階段が知られている（例えば、特許文献１参照）。このようなユニット階段では、昇降時に生じる音や振動を抑えることが求められている。特に、ユニット階段が、室外の共用スペースに設けられたものでは、音、振動を抑えることの要求度が高い。
【０００３】
そこで、ユニット階段の音や振動を抑える技術が種々提案されており、ユニット階段と建物ユニットの構造体との間に、振動を抑えるための振動吸収装置を介在させるものが提案されている（例えば、特許文献２参照）。
あるいは、ユニット階段の振動を抑制する技術として、踏板を支持する桁の支持剛性を向上する技術も提案されている（例えば、特許文献３参照）。
【先行技術文献】
【特許文献】
【０００４】
【特許文献１】特開２００４−１９０３０３号公報
【特許文献２】特開２００６−１５２６２１号公報
【特許文献３】特開昭６３−２９７６６０号公報
【発明の概要】
【発明が解決しようとする課題】
【０００５】
しかしながら、特許文献２の技術のように、階段と建物ユニットの構造体との間に振動吸収装置を設ける構造では、振動吸収装置が必要であり製造コストが高くなる、また、振動を吸収する弾性体などが経時劣化して振動吸収性能の低下を招くおそれもある。
また、特許文献３の技術では、桁の下端部を、建物ユニットを貫通して基礎に直接支持する構造であり、階段の桁の下端部を直接基礎で支持する柱や、柱を貫通するボルトや、受け板などの専用の部品が必要で、コストアップを招く。さらに、階段の桁の下端部を支持する位置が基礎の位置に限られ、階段の設置自由度が低い。
【０００６】
本開示は、安価に安定した振動抑制を可能とし、設計自由度に優れる階段の制振構造を提供することを目的とする。
【課題を解決するための手段】
【０００７】
本開示の階段の制振構造は、床梁に支持された床板に、階段の踏板を支持する階段桁の下端部が支持された階段の制振構造であって、前記階段桁の下端部が設置される前記床板と、基礎スラブとの間に、束が設けられていることを特徴とする。
【０００８】
なお、前記床梁の床大梁の間に複数の床小梁が架け渡され、前記束は、前記床小梁と前記基礎スラブとの間に設けられている階段の制振構造としてもよい。
また、前記階段桁の下端部は、前記床小梁と前記床小梁との間に配置され、前記階段桁の下端部を支持する前記床板の下方位置に、前記床梁どうしを連結した支持部材が配置されている階段の制振構造としてもよい。
そして、前記階段桁の下端部が、前記支持部材に固定されていることが好ましい。
さらに、前記束が、前記支持部材と前記基礎スラブとの間に設けられていることが好ましい。
また、前記束は、前記基礎スラブに固定されていることが好ましい。
さらに、前記階段桁の中間部が、防振支柱を介して床材に支持されていることが好ましい。そして、前記防振支柱は、前記床板に固定されていることが好ましい。
【発明の効果】
【０００９】
よって、本開示の階段の制振構造では、階段桁を支持する床板の剛性が向上し、階段桁の振動を抑え、音、振動の発生を抑制できる。したがって、振動吸収装置などが不要であるとともに、既存の束を用いることで、階段の制振が可能であり、安価に振動抑制を達成可能である。しかも、階段桁の設置位置に制限が無く、設計自由度に優れる。
【００１０】
また、本実施の形態１では、束が、床大梁の間に架け渡された床小梁と基礎スラブとの間に設けられている構造では、床小梁の周囲の床板の剛性を確実に向上させ、階段の昇降時の制振を図ることができる。
さらに、階段桁の下端部を支持する床板の下方位置に、床小梁どうしを連結した支持部材が配置されている構造では、支持部材を設けない構造と比較して、さらに、階段桁の下端部を支持する床板の剛性が向上する。これにより、階段の制振性能をさらに向上できる。
階段桁の下端部が、支持部材に固定された構造では、階段桁の下端部の支持剛性が向上でき、これにより、階段の制振性能をさらに向上できる。
支持部材と基礎スラブとの間に束が設けられた構造では、この束を設けないものと比較して、階段桁の下端部の支持剛性をさらに向上でき、これによって、階段の制振性能をさらに向上できる。
束が、基礎スラブに固定された構造では、この固定を行わないものと比較して、床小梁および支持部材の支持剛性が、さらに向上する。このため、階段の制振性能をさらに向上できる。
加えて、階段桁の中間部が、防振支柱を介して床板に支持された構造では、階段昇降時の階段桁の縦方向の撓みが抑制され、階段の制振性能をさらに向上できる。
そして、防振支柱が、床板に固定された構造では、この固定を行わないものと比較して、階段昇降時の階段桁の縦方向の撓みがさらに抑制され、階段の制振性能をさらに向上できる。
【図面の簡単な説明】
【００１１】
【図１】実施の形態１の階段の制振構造を適用したユニット建物の平面図である。
【図２】実施の形態１の制振構造を適用した階段の一部を示す分解斜視図である。
【図３】実施の形態１の階段の制振構造を適用した階段を示す断面図である。
【図４】実施の形態１の階段の制振構造を適用した建物ユニットの床構造の要部を示す斜視図である。
【図５】実施の形態１の階段の制振構造の要部を示す断面図である。
【図６】実施の形態１の階段の制振構造の要部を示す断面図であって、図５の右方向から見た図である。
【図７】実施の形態１の階段の制振構造に用いた支持部材を示す三面図であり、（ａ）は支持部材の平面図、（ｂ）は支持部材の側面図、（ｃ）は支持部材の正面図である。
【図８】実施の形態１の階段の制振構造に用いた力桁を示す図であり、（ａ）は力桁の平面図、（ｂ）は力桁の側面図、（ｃ）は力桁の底面図、（ｄ）は力桁の下端部の断面図、（ｅ）は（ｄ）の矢印Ｙｅの方向から見た力桁の下端面を示す矢視図、（ｆ）は力桁の上端部の断面図、（ｇ）は（ｆ）の矢印Ｙｇの方向から見た力桁の上端面を示す矢視図である。
【図９】実施の形態１の階段の制振構造に用いた防振支柱の取付構造を示す分解斜視図である。
【図１０】実施の形態１の階段の制振構造に用いた防振支柱の下端部の構造を示す断面図である。
【図１１】実施の形態１の階段の制振構造に用いた防振支柱の下端部を支持する支持金具を示す斜視図である。
【発明を実施するための形態】
【００１２】
以下、本開示の階段の制振構造を実施するための形態を、図面に基づいて説明する。
（実施の形態１）
実施の形態１の階段の制振構造の構成を、「全体構成」、［力桁支持構造］、［防振支柱の詳細構成］に分けて説明する。
【００１３】
［全体構成］
図１は、実施の形態１の階段の制振構造を適用したユニット建物の模式的な平面図であり、図２は、実施の形態１の階段を示す斜視図であり、図３は、実施の形態１の階段の制振構造を備えた階段の側面図である。以下、図１〜図３に基づいて、実施の形態１の全体構成を説明する。
【００１４】
実施の形態１の階段の制振構造は、図１に示すユニット建物１に適用されている。ここで、ユニット建物１は、２階建てであって、基礎Ｂ（図３参照）上に複数の下階の建物ユニット２,…を設置して１階部分を構成し、この１階部分の上に複数の上階の建物ユニット２を載置して構成されている。なお、この上階の建物ユニット２の上には、屋根ユニット（不図示）を設置して屋根を形成している。また、ユニット建物１は、集合住宅であり、１階部分および２階部分のそれぞれに、複数の建物ユニット２により独立した住宅スペース（部屋）が複数形成されている。
【００１５】
下階の建物ユニット２と上階の建物ユニット２は、いずれも、工場生産されており、柱および梁によって箱型に組み立てられた軸組式のものである。なお、下階の建物ユニット２を含む各建物ユニットは、床材の周縁に壁パネルを立設して箱型に組み立てられた壁式工法のものであってもよい。
【００１６】
そして、ユニット建物１は、図１に示すように、複数の下階の建物ユニット２を含む建物ユニットに囲まれた位置に１階と２階をつなぐ階段１０を有する階段ユニット３が設けられている。なお、階段ユニット３は、１階部分と２階部分とに跨る吹き抜け空間を有する。
【００１７】
ここで、図３に示す基礎Ｂおよび床構造について説明を加えると、基礎Ｂは、基礎スラブＢ１と基礎梁Ｂ２とを備えた、いわゆる、べた基礎構造である。また、階段ユニット３では、桁床大梁３ｅが、基礎梁Ｂ２支持されている。なお、桁床大梁３ｅは、階段ユニット３の幅方向（図１の上下方向）の両端部において、ユニットの長手方向（図３の左右方向）に延在されている。そして、一対の桁床大梁３ｅに、図４、図６に示すように、床小梁３ａが架け渡されている。なお、図３および後述する図５では、床小梁を指す「３ａ」の符号の後に（１）（２）（３）（４）のカッコ書き番号を表記するものがあるが、これは後述の説明においてこのカッコ書き番号が付いた特定の床小梁３ａを指す場合に使用するものである。したがって、（１）〜（４）の符号を有する特定の床小梁を指さない場合は、単に「３ａ」と表記する。
【００１８】
図２に戻り、階段１０は、階段ユニット３の内階段として設けられたもので、複数の踏板１２,…が、その下側から左右一対の力桁１１,１１によって支持されている。なお、図において矢印Ｚの方向が上下方向であり、矢印Ｙの方向が階段１０の幅方向であり、矢印Ｘ方向が水平面で階段１０が延在する方向であり、矢印Ｓの方向が階段１０の傾斜に沿う方向である。
【００１９】
力桁１１は、図９に示すように、断面コの字状の溝形鋼により形成されている。そして、図３に示すように、力桁１１の下端部１１αが床板３ｄに支持されているとともに、床小梁３ａ（１）、３ａ（２）に取り付けられた支持部材４０にボルト固定されている。また、力桁１１の上端部１１βが階段ユニット３の天井梁３ｃにボルト固定されている。すなわち、力桁１１は、下端部１１αおよび上端部１１βがそれぞれ階段ユニット３の梁構造に支持されている。なお、力桁１１の下端部１１αの支持構造の詳細については後述する。
【００２０】
ここで、力桁１１について説明を加える。
力桁１１は、金属製で、図９に示すように、ウェブ１１ａと上側フランジ１１ｂと下側フランジ１１ｃとでコの字断面状に形成されている。そして、図８に示すように、下端部１１αおよび上端部１１βが斜めにカットされ、その両端の開口部分に、取付片１１ｄ，１１ｅが設けられている。この取付片１１ｄ，１１ｅは、力桁１１の本体部分を折曲して設けてもよいし、力桁１１とは別体の金属板片を溶接により取り付けてもよい。
【００２１】
両取付片１１ｄ，１１ｅには、それぞれ一対のボルト挿通穴１１ｆが開口されている。前述した支持部材４０および天井梁３ｃへのボルト固定は、このボルト挿通穴１１ｆを挿通したボルト１１ｇにより行っている。
【００２２】
次に、踏板１２について説明する。
踏板１２は、図２に示すように、力桁１１,１１に、踏板接合金具１３および踏板受金具１４を介して固定されている。この踏板１２は、例えば、プラスチック再生複合材によって形成され、ハニカム構造などの強度を有した構造体を有している。踏板１２は、平面視長方形の板状で、水平方向に延在された踏面部１２ａと、この踏面部１２ａの手前側の段鼻部分から垂下された垂下フランジ部１２ｂとにより、Ｌ字断面形状に形成されている。
【００２３】
踏板接合金具１３は、上下端部がそれぞれ水平方向に反対向きに屈曲され、上下方向の縦断面がほぼＺ形状に形成された金属鋼板によって形成されている。そして、この踏板接合金具１３は、下板１３ａが力桁１１の上側フランジ１１ｂにボルト固定されている。また、上板１３ｂの下方から差し込まれ、踏板受金具１４を貫通する複数のタッピンネジ１５を踏板１２の裏面に締結することで、踏板１２を踏板接合金具１３に固定する。
【００２４】
踏板受金具１４は、左右の力桁１１,１１にそれぞれ固定された左右一対の踏板接合金具１３,１３間に架け渡され、踏板１２への入力荷重を受け止める。この踏板受金具１４は、ベース板部１４ａと、踏み抜け防止部１４ｂと、奥側フランジ部１４ｃとにより、略逆Ｕ字断面形状に形成された金属鋼板である。
【００２５】
ベース板部１４ａは、略長方形の平面形状に形成され、その全面が、踏板１２の踏面部１２ａの裏面に、超高分子量ポリエチレンシート（不図示）を介して接触する。踏み抜け防止部１４ｂは、ベース板部１４ａの段鼻側の端部から下方に突出し、その下端部は、昇降時に万一、足先が当たった際に引っ掛かることのないようベース板部１４ａの奥側に向かって折曲されている。さらに、奥側フランジ部１４ｃは、ベース板部１４ａの奥側の端部から下方に突出し、踏み抜け防止部１４ｂの上下方向寸法よりも短い寸法に形成されている。なお、踏板接合金具１３の上板１３ｂは、踏み抜け防止部１４ｂと奥側フランジ部１４ｃとの間に収まる寸法に形成されている。
【００２６】
［力桁支持構造］
次に、力桁１１の下端部１１αの支持構造を、図５〜図７などに基づいて詳細に説明する。
図５は、力桁１１の下端部１１αの支持構造を示す拡大断面図である。図６は階段１０を図５の右方向から見た断面図である。図７は支持部材４０を示す三面図であり、（ａ）は支持部材４０の平面図、（ｂ）は支持部材４０を側方から見た側面図、（ｃ）は支持部材４０を床小梁３ａに直交する方向から見た正面図である。
【００２７】
一対の力桁１１，１１は、それぞれ、図５に示すように、下端部１１αの取付片１１ｄ（図８参照）に開口されたボルト挿通穴１１ｆ（図８参照）に挿通されたボルト１１ｇが、床板３ｄを貫通し支持部材４０に締結されている。
【００２８】
ここで、支持部材４０について詳細に説明する。
支持部材４０は、図７（ｃ）に示すように、上片４１、中片４２、下片４３により断面がコの字状の金属製のチャンネル材により形成されている。そして、上片４１には、一対の貫通穴４４が開口され、この貫通穴と同軸に裏ナット４５が溶接されている。なお、支持部材４０の床小梁３ａ（１）、３ａ（２）への結合は、本実施の形態１では、溶接により行っているが、支持部材４０にフランジなどを設け、ボルト、ナットなどの締結部材を用いて結合してもよい。
【００２９】
この支持部材４０の長手方向両端部が、図４、図５に示すように、床小梁３ａ（１）、３ａ（２）に結合されている。なお、この支持部材４０は、各力桁１１の下端部１１αの真下となる位置に配置されている。
【００３０】
本実施の形態１では、力桁１１の下端部１１αの支持位置では、図５に示すように、床小梁３ａ（１）、３ａ（２）が束５０（ａ），５０（ｂ）により支持され、支持部材４０が、束５０（ｃ）により支持されている。なお、各束５０（ａ），５０（ｂ），５０（ｃ）は、同一構造のものを用いており、これらの特定のものを指さない場合は、（ａ）〜（ｃ）を省略して、単に束５０と表記する。
【００３１】
束５０は、周知の構造であるので、簡単に説明すると、ベースプレート５１にウエルドボルト５２が立設され、ウエルドボルト５２の上端にパイプ５３が嵌め込まれている。パイプ５３は、ナット５４の締付けでウエルドボルト５２に一体化されている。パイプ５３に対するウエルドボルト５２のねじ込み量によって束５０の高さが調節される。パイプ５３の上端にウエルドボルト５５が嵌め込まれ、ナット５６の締付けでウエルドボルト５５がパイプ５３に一体化されている。ウエルドボルト５５の上端に支持プレート５７が溶接などで固定されている。
【００３２】
各束５０のベースプレート５１は、基礎スラブＢ１に、コンクリートビス５１ａにより固定されている。また、束５０（ａ），５０（ｂ）の支持プレート５７は、タッピングネジ５７ａにより床小梁３ａ（１）、３ａ（２）に固定されている。また、支持部材４０を支持する束５０（ｃ）の支持プレート５７は、タッピングネジ５７ｂにより支持部材４０に固定されている。なお、支持プレート５７と床小梁３ａ（１）、３ａ（２）および支持部材４０との間には、低摩擦性のシート（例えば、ポリオレフィン系フィルム）が介在されている。
【００３３】
［防振支柱の詳細構成］
図３に戻り、力桁１１と床板３ｄとの間に、防振支柱３０が設けられている。以下、この防振支柱３０の詳細について説明する。
【００３４】
図３に示すように、力桁１１の長手方向の中間部が、防振支柱３０を介して床板３ｄに支持されている。防振支柱３０は、上下方向に延在された柱部３１と、柱部３１の上端部と力桁１１との間に設けられた防振部３２と、を備えている。
【００３５】
柱部３１は、中空の角形鋼管によって形成され、力桁１１の下方に配置されて、平面視で力桁１１の下側フランジ１１ｃと重なって配置されている。また、この柱部３１は、図９に示すように、下端部３１ａの先端に平鋼からなるベースプレート３１ｃが溶接により固定されている。このベースプレート３１ｃは、周縁部が柱部３１の周面よりも水平方向にフランジ状に突出されている。そして、このベースプレート３１ｃが、図３、図１０に示すように、床小梁３ａに取り付けられた支持金具３３に、床板３ｄを貫通するボルト３１ｄによって固定されている。
【００３６】
支持金具３３は、図１０、図１１に示すように、第１片３３ａと第２片３３ｂとにより断面Ｌ字状を成す山形鋼（アングル）によって形成されている。そして、第１片３３ａが床小梁３ａの側面に溶着固定されている。
【００３７】
また、第２片３３ｂが床板３ｄの下面に対向し、床板３ｄの下面に沿って延びる支持面となる。そして、ベースプレート３１ｃおよび第２片３３ｂを順に貫通したボルトＢＯに、第２片３３ｂの下方からナットＮが締め付けられている。
【００３８】
防振部３２は、図９に示すように、第１片３２ａと第２片３２ｂとを備えた断面Ｌ字状の山形鋼（アングル）によって形成され、柱部３１の上端部３１ｂの先端に溶接固定されている。そして、この防振部３２は、柱部３１に溶接された第１片３２ａが、桁支持面として力桁１１の下側フランジ１１ｃ（底面）に固定されている。また、防振部３２の第２片３２ｂは、第１片３２ａ（桁支持面）から垂直に立ち上げられ、第２桁支持面として力桁１１のウェブ１１ａ（側面）に固定されている。なお、防振部３２と力桁１１との固定は、ボルトＢＯおよびナットＮによって行われる。また、桁支持面である第１片３２ａは、柱部３１の断面積よりも力桁１１の延在方向（矢印Ｘ方向）に沿って拡大されている。
【００３９】
さらに、この防振部３２は、第１片３２ａの力桁１１に接触する上面３２１ａと、第２片３２ｂの力桁１１に接触する内側面３２１ｂとが、それぞれ防振材３４によって覆われている。ここで、防振材３４としては、クロロスルホルン化ポリエチレンゴム（ＣＳＭ）によって形成されたゴムシートなどの弾性材を用いることができる。
【００４０】
次に、作用を説明する。
力桁１１の下端部１１αを、床板３ｄにより支持する構造では、階段昇降時に踏板１２を介して力桁１１に振動が生じると、その振動が、床板３ｄに伝達され、音、振動が生じる。また、力桁１１が、階段１０の高さ方向（図２の矢印Ｚ方向）に撓み、階段１０に縦揺れが生じることでも、音、振動が生じる。
【００４１】
特に、本実施の形態１のように、階段ユニット３に隣接して建物ユニット２、すなわち住宅スペース（部屋）が配置されている場合、階段１０の振動や音が建物ユニット２の住宅スペース（部屋）に伝達されると、騒音などとして、いっそう問題となる。
【００４２】
それに対し、実施の形態１の階段の制振構造では、桁床大梁３ｅおよび床小梁３ａに支持された床板３ｄに、階段１０の踏板１２を支持する力桁１１の下端部１１αが設置される床板３ｄと、基礎スラブＢ１との間に束５０が設けられている。このため、力桁１１を支持する位置の床板３ｄの剛性が向上し、階段昇降時の床板３ｄおよび力桁１１の振動を抑え、階段１０の制振を図り、音、振動の発生を抑制できる。
【００４３】
特に、本実施の形態１のように、階段ユニット３に隣接して建物ユニット２による住宅スペース（部屋）が配置されている場合、上記のように音、振動を抑制でき、階段１０の昇降時に建物ユニット２（部屋）に伝達される音、振動を低減できる。よって、このような集合住宅など住宅スペース外に設置した階段において有効である。また、住宅の騒音としては、相対的に低周波数の振動が騒音として認知されやすい。上記のように、床板３ｄの剛性を向上させることにより、低周波成分をカットすることができ、騒音抑制に有効となる。
したがって、振動吸収装置などが不要であるとともに、既存の束５０を用いることで、階段１０の制振が可能であり、安価に振動抑制を達成可能である。しかも、力桁１１の設置位置に制限が無く、設計自由度に優れる。
【００４４】
また、本実施の形態１では、束５０（ａ），５０（ｂ）が、桁床大梁３ｅの間に架け渡された床小梁３ａ（１）、３ａ（２）と基礎スラブＢ１との間に設けられているため、床小梁３ａ（１）、３ａ（２）の周囲の床板３ｄの剛性を確実に向上することができる。これにより、上記の床板３ｄおよび力桁１１の振動を抑え、階段昇降時の階段１０の制振を図り、音、振動の発生を抑制できる効果を確実に得ることができる。さらに、束５０（ａ），５０（ｂ）を、床小梁３ａと基礎スラブＢ１との間に設置するため、床板３ｄの剛性を広範囲で向上できる。
【００４５】
さらに、力桁１１の下端部１１αを支持する床板３ｄの下方位置に、床小梁３ａ（１）、３ａ（２）どうしを連結した支持部材４０が配置されているため、支持部材４０を設けない構造と比較して、さらに、力桁１１の下端部１１αを支持する床板３ｄの剛性が向上する。これにより、階段昇降時の床板３ｄの振動をさらに抑え、階段１０の制振を図り、音、振動の発生を抑制できる。
【００４６】
しかも、本実施の形態１では、力桁１１の下端部１１αが、支持部材４０に固定されているため、この固定を行わないものと比較して、力桁１１の下端部１１αの支持剛性を向上できる。これにより、階段昇降時の階段１０の制振を図り、音、振動の発生を抑制できる。
【００４７】
すなわち、力桁１１の下端部１１αを、支持部材４０およびこれを挟む小梁３ａ（１）、３ａ（２）により一体に支持することにより、力桁１１に振動が生じた場合、支持部材４０、小梁３ａ（１）、３ａ（２）も一体となって振動する。そこで、束５０（ａ）、５０（ｂ）により床小梁３ａ（１）、３ａ（２）を支持することで、床小梁３ａ（１）、３ａ（２）の振動を抑制できる。これにより、支持部材４０の振動が抑制されるとともに、力桁１１の下端部１１αの振動も抑制できる。
【００４８】
加えて、支持部材４０と基礎スラブＢ１との間に束５０（ｃ）が設けられているため、この束５０（ｃ）を設けないものと比較して、力桁１１の下端部１１αの支持剛性をさらに向上できる。これによって、階段昇降時の階段１０の制振を図り、音、振動の発生をさらに抑制できる。
【００４９】
また、束５０は、ベースプレート５１がコンクリートビス５１ａにより基礎スラブＢ１に固定されているため、この固定を行わないものと比較して、床小梁３ａ（１）、３ａ（２）および支持部材４０の支持剛性が、さらに向上する。このため、階段１０の制振を図り、音、振動の発生を抑制できる。しかも、実施の形態では、束５０の上端部の支持プレート５７を、床小梁３ａおよび支持部材４０に結合したため、この結合を行わないものと比較して、床小梁３ａおよび支持部材４０の剛性および床板３ｄが向上する。これにより、さらに制振性能を向上可能である。
【００５０】
そして、上述のように床小梁３ａ（１）、３ａ（２）および支持部材４０の振動を抑制できることにより、その隣に配置された床小梁３ａ（３）、３ａ（４）に伝達される振動を抑制することができる。これにより、床板３ｄ全体の振動を抑えることができるとともに、階段ユニット３に隣接する建物ユニット２の部屋などへの振動の伝達を抑えることができ、騒音抑制効果を向上できる。
【００５１】
本実施の形態１では、実際に階段１０を昇降時の騒音を検出する実験を行った結果、床子梁３ａ（１）、３ａ（２）を束５０（ａ）、５０（ｂ）により支持した場合、この支持を行わないものと比較して、騒音を１．０ｄＢ低減できた。
また、支持部材４０を束５０（ｃ）により支持した場合、この支持を行わないものと比較して、騒音を２．０ｄＢ低減できた。
【００５２】
加えて、力桁１１の中間部が、防振支柱３０を介して床板３ｄに支持されているため、防振支柱３０を設けないものと比較して、昇降時の力桁１１の縦方向の撓みが抑制され、階段１０の制振を図り、音、振動の発生を抑制できる。
【００５３】
しかも、防振支柱３０は、床板３ｄに固定されているため、この固定を行わないものと比較して、昇降時の力桁１１の縦方向の撓みが抑制され、階段１０の制振を図り、音、振動の発生を抑制できる。さらに、防振支柱３０の下端部は、床小梁３ａに結合した支持金具３３に結合したため、床板３ｄのみに結合した場合よりも、さらに、昇降時の力桁１１の縦方向の撓みが抑制され、階段１０の制振を図り、音、振動の発生を抑制できる。
【００５４】
以上、本開示の階段制振構造を実施の形態に基づき説明してきたが、具体的な構成については、これらの実施の形態に限られるものではなく、特許請求の範囲の各請求項に係る発明の要旨を逸脱しない限り、設計の変更や追加等は許容される。
【００５５】
実施の形態では、階段桁として、踏板を下方から支持する力桁を用いたいわゆる「力桁階段」を示したが、これに限定されず、例えば、階段桁として、踏板の端部を支持する側桁を用いた「側桁階段」に適用することもできるし、階段桁として、踏板を段形に切り込んだ形状のささら桁によって下方から支持する「ささら桁階段」に適用することもできる。
【００５６】
また、実施の形態では、束を床梁と基礎スラブとの間、および、支持部材と基礎スラブとの間に設けた例を示したが、これに限定されず、少なくとも、床梁と基礎スラブとの間に束を設けていれば、床板により階段桁の支持剛性が向上し、制振作用を得ることが可能である。
さらに、実施の形態では、階段桁（力桁）の下端部が、床梁と床梁との間に配置されたものを示したが、これに限定されず、例えば、階段桁の下端部を、床梁の上方に重なる位置に配置することも可能である。また、階段桁（力桁）の下端部が、床梁と床梁との間に配置されたものにあっても、実施の形態で示したように、階段桁の下端部の下方に支持部材を設けずに、床板のみで支持するようにしてもよい。
あるいは、階段桁の下端部を支持する床板の下方位置に、床梁どうしを連結した支持部材が配置されているものにおいて、階段桁を、支持部材に結合しないものも本開示に含まれる。このような構造であっても、階段桁を支持する床板の剛性が向上することから、制振効果を高めることが可能である。
【００５７】
また、束は、基礎スラブ、小梁、支持部材に固定したものを示したが、これに限定されず、基礎スラブ、小梁、支持部材のいずれか、あるいは全てに固定しない場合でも、束を設けたことによる、床板の剛性を向上して、制振性能の向上が可能である。
【００５８】
また、実施の形態では、階段桁の中間部が、防振支柱を介して床材に支持されている例を示したが、これに限定されず、防振支柱を設けなくてもよい。あるいは、防振支柱に代えて、階段桁を、建物ユニットの側壁に結合してもよい。
さらに、実施の形態では、防振支柱は、床板に固定されている例を示したが、これに限定されず、床板に固定することなく、単に、階段桁を支持した構造としてもよい。さらに、実施の形態では、防振支柱は、小梁に設けた支持金具に結合したが、これに限定されず、床板のみに固定してもよい。
【００５９】
そして、実施の形態では、制振構造を、階段ユニットの内階段として設けられた階段に適用した例を示したが、これに限らない。例えば、建物の外部に設置される外階段であっても適用することができる。
さらに、制振構造を適用する階段は、実施の形態で示したユニット建物に設置される階段に限定されるものではなく、ユニット建物以外の在来工法などによる一般建築物にも適用可能である。
【符号の説明】
【００６０】
３ａ 床小梁（床梁）
３ｄ 床板
３ｅ 桁床大梁（床梁：床大梁）
１０ 階段
１１ 力桁（階段桁）
３０ 防振支柱
４０ 支持部材
５０（ａ） 束
５０（ｂ） 束
５０（ｃ） 束
Ｂ   基礎
Ｂ１ 基礎スラブ
【図１】
2018048494.tif 000003
【図２】
2018048494.tif 000004
【図３】
2018048494.tif 000005
【図４】
2018048494.tif 000006
【図５】
2018048494.tif 000007
【図６】
2018048494.tif 000008
【図７】
2018048494.tif 000009
【図８】
2018048494.tif 000010
【図９】
2018048494.tif 000011
【図１０】
2018048494.tif 000012
【図１１】
2018048494.tif 000013